(57)【特許請求の範囲】
【請求項１】
パラ系アラミド繊維又は／及びポリパラフェニレンベンズオキサゾール繊維からなる織編物製のシート基材（２）の表裏各全面にウレタンフィルム製遮光層（４，５）が設けられ、使用時に外面となる一方の遮光層（４）の外面にアクリル繊維製生地（３）が貼着されていることを特徴とする幌生地。
【発明の詳細な説明】
【技術分野】
【０００１】
本願発明は、例えば自動車用の幌布として使用される幌生地に関するものである。
【背景技術】
【０００２】
オープンカーの上部やトラック荷台の上部等を被覆する幌布は、頻繁に折畳み開閉したり苛酷な自然環境下（風雨下や炎天下）で使用される関係で、比較的強靭で耐候性に富んだ性状のものが求められる。
【０００３】
この種の幌布に使用されている幌生地としては、ナイロンやポエステル製フィラメントからなる織編物を塩化ビニル樹脂でコーティングしたターポリンシートや、ポリオレフィン製フラットヤーンからなる織編物にフイルム層を形成したラミネートシートなどの各種防水シートがある。尚、この種の幌生地では、主として織編物部分（シート基材となる部分）で強靭性や耐久性を確保するようになっている。
【発明の開示】
【発明が解決しようとする課題】
【０００４】
ところで、上記のような従来の幌生地では、引張強度や耐候性についてはかなりの耐久性を有しているものの、刃物等による耐切創性については比較的悪いものであった。
【０００５】
又、幌生地のシート基材部分の繊維は、長期に亘って光が照射すると硬化したり変質したりして劣化が進み易い性質がある。そして、このようにシート基材部分の繊維の劣化が進行すると、繊維のもつ引張強度や繊維同士の結合強度が弱まって、幌生地の耐切創性が悪くなるという問題がある。
【０００６】
そこで、本願発明者等は、幌生地における刃物等による耐切創性を高めるために鋭意研究した結果、パラ系アラミド繊維やポリパラフェニレンベンズオキサゾール繊維からなる織編物が耐切創性に優れていることを知見した。尚、パラ系アラミド繊維やポリパラフェニレンベンズオキサゾール繊維は、いわゆるハイテク繊維と称されているものである。
【０００７】
そして、本願発明は、幌生地のシート基材として、上記パラ系アラミド繊維やポリパラフェニレンベンズオキサゾール繊維からなる織編物製のものを使用することにより、耐切創性に優れた幌生地を提供することを第１の目的とし、そのようなハイテク繊維を使用したシート基材部分が光によって劣化するのを防止し得るようにすることを第２の目的としている。
【課題を解決するための手段】
【０００８】
本願発明は、上記課題を解決するための手段として次の構成を有している。尚、本願発明は、例えば自動車用の幌布として使用される幌生地を対象にしている。
【０００９】
本願発明の幌生地は、パラ系アラミド繊維又は／及びポリパラフェニレンベンズオキサゾール繊維からなる織編物製のシート基材の表裏各全面にウレタンフィルム製遮光層が設けられ、使用時に外面となる一方の遮光層の外面にアクリル繊維製生地が貼着されていることを特徴とする。尚、以下の説明では、ポリパラフェニレンベンズオキサゾール繊維をＰＢＯ繊維ということがある。
【００１０】
上記したパラ系アラミド繊維やＰＢＯ繊維は、いわゆるハイテク繊維と称されるものであり、これらの繊維からなる織編物は刃物等による耐切創性に優れた性質を有している。
【００１１】
そして、本願の幌生地に採用されるシート基材は、上記２種類のハイテク繊維の少なくともいずれか１種類を用いた織編物であり、用途に応じた適宜厚さのものが使用される。尚、このシート基材に使用される繊維は、上記パラ系アラミド繊維とＰＢＯ繊維の一方のみあるいは両方を使用したものでもよいし、上記繊維にほかの適宜の繊維を混合させたものでもよい。
【００１２】
ところで、パラ系アラミド繊維やＰＢＯ繊維からなる織編物は、耐切創性に優れた性質を有している反面、光が当たると劣化が進み易いという性質を有している。そして、このシート基材の表裏各面が露出したままでは、幌布として使用したときに該シート基材の露出面に光が当たるので、繊維の劣化が進み易くなる。
【００１３】
そこで、本願発明の幌生地では、シート基材の表裏各全面をそれぞれウレタンフィルム製遮光層で被覆することにより、該シート基材の表裏各面に光が当たらないようにしている。
【００１４】
この各遮光層は、シート基材の表裏各面に対して、例えば光が透過しない性状（例えば黒色）のウレタンフィルムを貼着して形成される。
【００１５】
又、この幌生地には、使用時の外面となる面にアクリル繊維製の生地が貼着されている。
【００１６】
本願発明の幌生地は、用途に応じた形状に裁断して幌布として使用されるが、その使用状態において、幌布の表裏各面に光が当たっても、シート基材の表裏各全面がそれぞれ遮光層で被覆されているので、該シート基材に光が達する（当たる）ことがない。
【発明の効果】
【００１７】
本願発明では、幌生地のシート基材として、耐切創性に優れたパラ系アラミド繊維又は／及びポリパラフェニレンベンズオキサゾール繊維からなる織編物を使用し、このシート基材の表裏各全面にウレタンフィルム製遮光層が設けられ、使用時に外面となる一方の遮光層の外面にアクリル繊維製生地が貼着されているので、耐久性（特に刃物等による耐切創性）の良好な幌生地を提供できるという効果がある。また、この幌生地を幌布として使用した場合に、該幌布の表裏各面に光が当たっても、該光がシート基材に達する（当たる）ことがなく、従ってシート基材の繊維が光で劣化するのを未然に防止できる（長期に亘って耐切創性を維持できる）という効果がある。
【発明を実施するための最良の形態】
【００１８】
以下、本願発明の好適な実施形態を説明すると、図１には本願第１実施形態の幌生地が示され、図２には本願第２実施形態の幌生地１が示されている。尚、図１及び図２は、それぞれ本願各実施形態の幌生地１，１Ａの部分拡大断面を表したものである。
【００１９】
＜参考形態＞
図１に示す参考形態の幌生地１は、実質的な強度保持部分となるシート基材２の片面（図１では上面側）に、シール層４と防水層３とを順次貼着して構成されている。
【００２０】
この幌生地１に使用されるシート基材２は、例えばパラ系アラミド繊維又は／及びポリパラフェニレンベンズオキサゾール繊維（以下、ＰＢＯ繊維という）からなる織編物製で、用途に応じた適宜厚さのシート状物として使用されている。パラ系アラミド繊維やＰＢＯ繊維は、いわゆるハイテク繊維と称されているもので、これらの繊維からなる織編物は、刃物等による耐切創性に優れた性質を有している。
【００２１】
このシート基材２に使用される織編物は、上記２種類のハイテク繊維（パラ系アラミド繊維とＰＢＯ繊維）の少なくともいずれか１種類のみを用いたものでもよいし、上記２種類のハイテク繊維（パラ系アラミド繊維とＰＢＯ繊維）の両方を混合したものでもよいし、上記ハイテク繊維にほかの適宜の繊維を混合させたものでもよい。
【００２２】
シール層４は、この参考形態ではウレタンフィルム製で光が透過しない性状（例えば黒色）のものが使用されている。そして、このシール層４は、接着層（接着剤）６によりシート基材２の片面全面を被覆する状態で貼着されている。尚、このシール層４は、本願請求項１における片面側の遮光層となるものである。
【００２３】
防水層３には、この参考形態ではアクリル繊維製の生地が使用されている。そして、この防水層３も接着層（接着剤）８によってシール層（遮光層となる）４の外面に貼着されている。
【００２４】
そして、この幌生地１は、例えば自動車の幌布として使用されるが、その使用時には防水層３が外側に向く状態で設置される。
【００２５】
図１に示す参考形態の幌生地１では、シート基材２としてパラ系アラミド繊維やＰＢＯ繊維からなる織編物を用いているので、この幌生地１を使用した幌布では、従来品の幌生地を使用したものより刃物等による耐切創性が良好となり、長期に亘って切創による破損を防止できる。
【００２６】
ところで、シート基材２に使用している上記ハイテク繊維（パラ系アラミド繊維やＰＢＯ繊維）は、長期に亘って光が照射すると劣化し易い（耐切創性が低下する）性質を有している。そして、図１の幌生地１では、シート基材２の片面（図１の下面）が露出しているので、使用時にシート基材２の露出面に光が当たるようになり、繊維の劣化面で好ましくない。
【００２７】
＜実施形態＞
図２に示す本願発明の実施形態の幌生地１Ａは、シート基材２部分に光が当たらないようにしたもので、この図２の幌生地１Ａは、上記参考形態の幌生地１のシート基材２の露出面に遮光層５を設けたものである。
【００２８】
即ち、図２の幌生地１Ａは、厚さ方向の芯部分となるシート基材２の表裏各全面にそれぞれ接着層６，７を介してそれぞれ遮光層（遮光フイルム）４，５を貼着しているとともに、一方（図２の上面側）の遮光層４の外面に接着層７を介して防水層（アクリル繊維製の生地）３を貼着して構成されている。
【００２９】
各遮光層（遮光フイルム）４，５には、それぞれウレタンフィルム製で光が透過しない性状（例えば黒色）のものが使用されている。そして、この各遮光層４，５は、シート基材２の表裏各全面をそれぞれ被覆する状態で貼着されている。
【００３０】
この本願発明の実施形態の幌生地１Ａも、例えば自動車の幌布として使用されるが、その使用時には防水層３が外側に向く状態で設置される。
【００３１】
そして、幌布として使用時には、幌生地１Ａの表裏各面に光が照射するが、シート基材２部分の表裏全面はそれぞれ遮光層（遮光フイルム）４，５で被覆しているので、幌布として使用しても該シート基材２には光が当たらない。
【００３２】
従って、この幌生地１Ａでは、シート基材２が上記ハイテク繊維（パラ系アラミド繊維やＰＢＯ繊維）で製作されたものであっても、該シート基材２が光で劣化することがなく、長期に亘って元の強靭性を維持できるという機能がある。
【図面の簡単な説明】
【００３３】
【図１】本願参考形態の幌生地の一部拡大断面図である。
【図２】本願実施形態の幌生地の一部拡大断面図である。
【符号の説明】
【００３４】
１，１Ａは幌生地、２はシート基材、３は防水層、４，５はそれぞれ遮光層、６〜８はそれぞれ接着層である。
【図１】
0005140818.tif 000002
【図２】
0005140818.tif 000003